(57)【要約】【課題】  使用者の作業状況を遠隔的に、かつ、簡易に確認可能とする照明装置を提供する。【解決手段】  本発明に係る照明装置１０は、光源６２と、使用者の身体の一部を認識するカメラ６３，６４と、カメラ６３，６４の認識結果に基づいて、使用者の作業に関するデータを生成する制御部１１０、演算部１２０及び画像処理部１３０と、使用者の作業に関するデータをネットワークＮに送出する通信処理部１５０とを有する。【選択図】  図４
2016171534.tif 000002
【特許請求の範囲】
【請求項１】
照明手段と、
使用者の身体の一部を認識する認識手段と、
前記認識手段の認識結果に基づいて、前記使用者の作業に関するデータを生成するデータ生成手段と、
前記使用者の作業に関するデータをネットワークに送出する通信手段とを有することを特徴とする照明装置。
【請求項２】
前記通信手段が、前記使用者の作業に関するデータをネットワークを通じてサーバー又は情報端末装置に送信することを特徴とする請求項１に記載の照明装置。
【請求項３】
前記認識手段が、前記使用者の手を認識し、
前記データ生成手段が、前記認識手段が認識した前記使用者の手の状況に基づいて、前記使用者の作業に関するデータを生成することを特徴とする請求項１又は２に記載の照明装置。
【請求項４】
前記認識手段が、前記使用者の手のほかに前記使用者が作業で使用する物品を認識することを特徴とする請求項３に記載の照明装置。
【請求項５】
前記認識手段が、前記物品として紙類を認識することを特徴とする請求項４に記載の照明装置。
【請求項６】
前記データ生成手段が、前記認識手段が前記使用者の手と前記紙類を認識した場合に、前記使用者の読書作業に関するデータを生成することを特徴とする請求項５に記載の照明装置。
【請求項７】
前記データ生成手段が、前記使用者によるページめくりの検出結果に基づいて、前記使用者の読書作業に関するデータを生成することを特徴とする請求項６に記載の照明装置。
【請求項８】
前記認識手段が、前記物品として筆記具を認識することを特徴とする請求項４乃至７のいずれか１項に記載の照明装置。
【請求項９】
前記データ生成手段が、前記認識手段が前記使用者の手と前記筆記具を認識した場合に、前記使用者の筆記作業に関するデータを生成することを特徴とする請求項８に記載の照明装置。
【発明の詳細な説明】
【技術分野】
【０００１】
本発明は、使用者の作業状況を遠隔的に確認可能とする照明装置に関する。
【背景技術】
【０００２】
例えば子どもが自宅で勉強する時に、多くの家庭では四六時中親が付き添えるわけではなく、実際に子どもが机に向かって勉強しているのかどうか、親が知ることは難しかった。
もっとも、特許文献１には、撮像カメラが設けられて情報通信端末として機能する照明装置が記載され、このような装置を子どもの机の上に設置すれば、撮像カメラによる撮像画像をＴＶ電話システム等を介して親が確認し、子どもの様子を知ることも可能になると思われる。
【先行技術文献】
【特許文献】
【０００３】
【特許文献１】特開平６−１４１２１４号公報
【発明の概要】
【発明が解決しようとする課題】
【０００４】
しかしながら、特許文献１に記載された照明装置では、ある時点における撮像カメラの撮像画像を見た確認者（親）が把握し得るのは、その時点における照明装置の使用者（子ども）の様子だけであって、使用者がきちんと作業（勉強）をしているかどうかを確認者が知るためには、少なくとも、しばらくの間、撮像カメラの撮像画像をリアルタイムで（又は録画画像を事後的に再生して）確認しなければならない。そして、確認者がこのように時間を費やし、一定時間に亘る使用者自身の様子を確認することができたとしても、使用者が実際にどのような作業をどの程度したのかまで把握することは容易ではない。
【０００５】
本発明は、上記の事情に鑑みてなされたもので、使用者の作業状況を遠隔的に、かつ、簡易に確認可能とする照明装置を提供することを課題としている。
【課題を解決するための手段】
【０００６】
上記課題を解決するために、請求項１に係る発明は、照明手段と、使用者の身体の一部を認識する認識手段と、前記認識手段の認識結果に基づいて、前記使用者の作業に関するデータを生成するデータ生成手段と、前記使用者の作業に関するデータをネットワークに送出する通信手段とを有する照明装置を特徴とする。
【０００７】
請求項２に係る発明は、請求項１に記載の照明装置において、前記通信手段が、前記使用者の作業に関するデータをネットワークを通じてサーバー又は情報端末装置に送信することを特徴とする。
【０００８】
請求項３に係る発明は、請求項１又は２に記載の照明装置において、前記認識手段が、前記使用者の手を認識し、前記データ生成手段が、前記認識手段が認識した前記使用者の手の状況に基づいて、前記使用者の作業に関するデータを生成することを特徴とする。
【０００９】
請求項４に係る発明は、請求項３に記載の照明装置において、前記認識手段が、前記使用者の手のほかに前記使用者が作業で使用する物品を認識することを特徴とする。
【００１０】
請求項５に係る発明は、請求項４に記載の照明装置において、前記認識手段が、前記物品として紙類を認識することを特徴とする。
【００１１】
請求項６に係る発明は、請求項５に記載の照明装置において、前記データ生成手段が、前記認識手段が前記使用者の手と前記紙類を認識した場合に、前記使用者の読書作業に関するデータを生成することを特徴とする。
【００１２】
請求項７に係る発明は、請求項６に記載の照明装置において、前記データ生成手段が、前記使用者によるページめくりの検出結果に基づいて、前記使用者の読書作業に関するデータを生成することを特徴とする。
【００１３】
請求項８に係る発明は、請求項４乃至７のいずれか１項に記載の照明装置において、前記認識手段が、前記物品として筆記具を認識することを特徴とする。
【００１４】
請求項９に係る発明は、請求項８に記載の照明装置において、前記データ生成手段が、前記認識手段が前記使用者の手と前記筆記具を認識した場合に、前記使用者の筆記作業に関するデータを生成することを特徴とする。
【００１５】
本発明に係る照明装置によれば、使用者の身体の一部を認識する認識手段と、認識手段の認識結果に基づいて、使用者の作業に関するデータを生成するデータ生成手段と、使用者の作業に関するデータをネットワークに送出する通信手段とを有するので、使用者の作業状況を確認したい確認者又はそのための装置は、使用者の作業に関するデータを受信可能な機器をネットワークに接続することにより、その作業状況を遠隔的に、かつ、簡易に確認することが可能となる。
【００１６】
特に、ネットワークに接続される機器がサーバー又は情報端末装置である場合には、最終的に必要なデータの生成工程の多くを処理能力が高いサーバー又は情報端末装置に分担させることによって、照明装置におけるデータ生成を負荷の軽いものとすることができる。さらに、ネットワークに接続される機器が、使用者の作業状況を確認したい確認者の情報端末装置である場合には、確認者はその作業状況を直接かつ迅速に確認することができる。
【００１７】
また、認識手段が使用者の手を認識し、データ生成手段がその使用者の手の状況に基づいてデータを生成する場合には、照明下における使用者の作業の多くが手を使って行われると考えられるから、データ生成に供する情報を集めやすく、とりわけ照明下でよく行われる読書作業や筆記作業について、効率的かつ正確に情報収集することができる。そして、使用者によるページめくりの検出結果に基づいてデータ生成を行えば、読書作業に関する生成データの精度は極めて高いものとなる。
【発明の効果】
【００１８】
本発明によれば、使用者の作業状況を遠隔的に、かつ、簡易に確認可能とする照明装置を得ることができる。
【図面の簡単な説明】
【００１９】
【図１】発明を実施するための形態に係る照明装置が机に設置された状態を示す説明図である。
【図２】図１の照明装置を示す説明図である。
【図３】図１の照明装置のヘッド部を示す説明図である。
【図４】図１の照明装置がネットワークに接続された状態を示すブロック図である。
【図５】図１の照明装置の動作を示す流れ図である。
【図６】使用者が筆記具を持っている様子の撮影画像を示す説明図である。
【図７】（ａ）は使用者が両手で書籍を持ち読んでいる様子の撮影画像を示す説明図、（ｂ）は（ａ）の使用者が両手で書籍のページをめくっている様子の撮影画像を示す説明図である。
【図８】（ａ）は使用者が片手で書籍のページをめくろうとしている様子の撮影画像を示す説明図、（ｂ）は（ａ）の使用者が片手で書籍のページをめくった様子の撮影画像を示す説明図である。
【図９】使用者が両手で書籍のページをめくる場合の両手の距離の経時的変化を示す説明図である。
【図１０】使用者によるページめくりの発生を判断するため処理を示す流れ図である。
【図１１】確認者の情報端末装置における使用者の作業に関するデータの表示例を示す説明図である。
【発明を実施するための形態】
【００２０】
本発明を実施するための形態について、図面を用いて説明する。
【００２１】
〔照明装置の構成〕
図１乃至図３は、本発明に係る照明装置を示す。この照明装置１０は、机Ｄ上に載置されるベース部２０と、ベース部２０を机Ｄに固定するための固定用クランプ２５と、ベース部２０にその基端側が取り付けられるとともに、その先端側に後述の光源６２が設けられたヘッド部６０が取り付けられ、机Ｄの上方で光源６２を位置決めするアーム機構３０とを備えている。
【００２２】
ベース部２０の筐体前面には、照明装置１０の前に座った使用者の顔を撮影することができるフェイスカメラ２１が設けられ、ベース部２０の筐体上面には、照明のオン／オフや各種設定、モード変更に用いられるタッチパネル式の操作部２２が設けられている。また、ベース部２０の筐体内部には、図４に示すように、制御部１１０、演算部１２０、画像処理部１３０、通信処理部１４０、通知部１５０、が設けられている。
【００２３】
アーム機構３０は、アーム部４０と、アーム部４０を動作させるアーム動作部５０とを備えている。
【００２４】
アーム部４０は、ベース部２０に内蔵された回転軸２３に設けられて矢印α１方向（垂直方向の軸廻り）に回動するとともに、矢印α２方向（水平方向の軸廻り）に回動する第１アーム４１と、第１アーム４１の先端側に設けられて矢印α３方向（水平方向の軸廻り）に回動する第２アーム４２と、第２アーム４２の先端側に設けられて矢印α４方向（水平方向の軸廻り）に回動する仰角調整部材４３と、仰角調整部材４３に設けられて矢印α５方向に回動する首振部材４４と、首振部材４４に設けられたヘッド取付部４５とを備えている。ヘッド取付部４５には、ヘッド部６０が矢印α６方向に回動自在に取り付けられている。
【００２５】
アーム動作部５０は、回転軸２３を矢印α１方向に回動させる第１モータ５１及び第１アーム４１の矢印α１方向における角度位置を検出する第１角度センサ５１ａと、第１アーム４１を矢印α２方向に回動させる第２モータ５２及び第１アーム４１の矢印α２方向における角度位置を検出する第２角度センサ５２ａと、第２アーム４２を矢印α３方向に回動させる第３モータ５３及び第２アーム４１の矢印α３方向における角度位置を検出する第３角度センサ５３ａと、仰角調整部材４３を矢印α４方向に回動させる第４モータ５４及び仰角調整部材４３の矢印α４方向における角度位置を検出する第４角度センサ５４ａと、首振部材４４を矢印α５方向に回動させる第５モータ５５及び首振部材４４の矢印α５方向における角度位置を検出する第５角度センサ５５ａと、ヘッド部６０を矢印α６方向に回動させる第６モータ５６及びヘッド部６０の矢印α６方向における角度位置を検出する第６角度センサ５６ａとを備えている。
【００２６】
ヘッド部６０は、平面視長方形状のヘッドベース６１と、ヘッドベース６１の下面に設けられ、机Ｄ上を照らす光源６２と、光源６２の発光面内に設けられ、使用者Ｈの作業の様子（机Ｄ上の様子）を撮影することができるカメラ６３，６４と、ヘッドベース６１の上面に設けられ、環境状況を検出する照度センサ６５とを備えている。
【００２７】
制御部１１０は、操作部２２、演算部１２０、画像処理部１３０、通信処理部１４０、通知部１５０が接続され、これらを連携的に制御するとともに、光源６２の点灯制御とアーム動作部５０の動作制御を行う。
【００２８】
演算部１２０は、画像処理部１３０の画像処理結果等に基づいて各種の演算を行う。
【００２９】
画像処理部１３０は、フェイスカメラ２１及びカメラ６３，６４に接続され、フェイスカメラ２１及びカメラ６３，６４の撮影画像を画像処理する。ここでは、画像処理部１３０には、使用者の顔や手、使用者が使用する筆記具、紙類（書籍、書類、ノート等）の特徴を示す多数の教師データ（数値データ）が登録され、この教師データは、Ｈａａｒ−ｌｉｋｅ特徴とＡｄａＢｏｏｓｔアルゴリズムを用いて作成されたソフトウェアによる画像判別に用いられる。
【００３０】
通信処理部１４０は、ネットワーク（通信路）Ｎを通じて、サーバー２００や確認者の情報端末装置３００に接続され、照明装置１０とサーバー２００や情報端末装置３００との通信処理を行う。
【００３１】
通知部１５０は、ネットワークＮを通じて受信したデータに応じて、光や音、表示、動きによって使用者に通知を発する機能を有している。具体的には、光源６２の点滅やスピーカ（図示略）からの音声・音楽再生、操作部２２におけるディスプレイ表示、アーム機構３０及びヘッド部６０の動作の各方法に関する情報を生成して制御部１１０に送信する。
【００３２】
〔照明装置のモード〕
照明装置１０では、「待機モード」「機器設定モード」「通常動作モード」の３つのモードが用意されている。
【００３３】
「待機モード」は、照明装置１０のスタンバイ処理を行うモードであり、照明装置１０の主電源が投入されると（主電源がない場合には、電源プラグがコンセントに差し込まれると）、このモードに遷移する。「待機モード」では、制御部１１０は、光源６２の点灯制御やアーム動作部５０の動作制御を行わない。
【００３４】
「機器設定モード」は、「通信処理部１４０のネットワークＮへの接続」「サーバー２００／情報端末装置３００の通信処理部１４０への登録」「キャリブレーション」の各設定を行うモードである。
【００３５】
ここで、「通信処理部１４０のネットワークＮへの接続」とは、例えばネットワークＮがＷｉ−Ｆｉ（登録商標）に適合した無線ＬＡＮの場合、ＷＰＳ機能を利用して通信処理部１４０をネットワークＮに接続することが考えられる。つまり、使用者等が、無線ＬＡＮのアクセスポイントとなる無線ＬＡＮルータ（図示略）におけるＷＰＳ接続用のプッシュボタンを押した後、照明装置１０の操作部２２を操作することによって、通信処理部１４０は無線ＬＡＮルータからブロードキャストされたＥＳＳＩＤと暗号キーを取得する。このＥＳＳＩＤと暗号キーにより、通信処理部１４０は、Ｗｉ−Ｆｉに接続可能となる。ネットワークＮは、Ｗｉ−Ｆｉに適合した無線ＬＡＮでなく、ＺｉｇＢｅｅ（登録商標）やＢｌｕｅｔｏｏｔｈ（登録商標）、携帯電話キャリア等により提供されるモバイルネットワーク、インターネット、あるいは、有線ＬＡＮやシリアル通信など、照明装置１０とサーバー２００又は情報端末装置３００との間で相互にデータを送受信できるものであればよい。
【００３６】
「サーバー２００／情報端末装置３００の通信処理部１４０への登録」とは、照明装置１０がデータ送受信を行う前に、サーバー２００／情報端末装置３００をネットワークＮ上で識別するための情報を登録することである。例えば照明装置１０が同一ＬＡＮ上の任意の装置からのＵＤＰ通信による接続を待受けしている場合に、サーバー２００／情報端末装置３００が照明装置１０に接続すると、サーバー２００／情報端末装置３００は、通信処理部１４０に登録されたアドレスを取得するとともに、サーバー２００／情報端末装置３００のアドレスを照明装置１０に送信し、照明装置１０は、サーバー２００／情報端末装置３００のアドレスを通信処理部１４０に登録する。これにより、サーバー２００／情報端末装置３００は同一ＬＡＮ内で照明装置１０がデータの送受信を行っている間、任意のタイミングでの通信処理部１４０とデータの送受信をすることが可能となる。
【００３７】
「キャリブレーション」とは、照明装置１０が使用者の顔や手、あるいは、使用者が使用する筆記具を認識する際に、その認識精度を向上させるために、特徴量を教師データに追加することである。詳しくは、使用者等が、使用者の顔や手、あるいは、使用者が使用する筆記具の画像をフェイスカメラ２１やカメラ６３，６４で複数回撮影すると（例えば、手については、いくつかの手のポーズ（手を開いている様子、手を握っている様子、筆記具を持っている様子）を撮影し、筆記具については、いくつかの状態（手が持っている様子、置かれている様子）を撮影する。）、画像処理部１３０が既に登録されている教師データに基づいて各撮影画像から使用者の顔や手、筆記具の部分を抽出し、演算部１２０がその複数の抽出画像から使用者の顔や手、筆記具についての特徴となる情報を算出して、これが教師データに追加される。
【００３８】
「通常動作モード」は、使用者が照明下で作業する場合に使用するモードで、その詳細は次述する。
【００３９】
〔照明装置の動作：概要〕
照明装置１０は、制御部１１０の制御により、その主電源が投入されると「待機モード」となり、操作部２２の照明オン／オフ画面で照明がオンされると光源６２を点灯させて「通常動作モード」となり、照明がオフされると光源６２を消灯させて「待機モード」となる。照明装置１０を「機器設定モード」とするには、操作部２２のモード変更画面で選択すればよい。
【００４０】
照明装置１０が「通常動作モード」に入ると、制御部１１０は、まずフェイスカメラ２１により使用者Ｈの顔画像を撮影し（ステップ１：図５において「Ｓ．１」と記載。以下同様）。その撮影画像から画像処理部１３０により抽出される特徴量を、キャリブレーションで追加された使用者の顔画像に関する教師データと対比して、使用者Ｈが予め想定された使用者であるか否かを識別する（ステップ２）。
【００４１】
使用者Ｈが予め想定された使用者である場合には、制御部１１０は、特定の使用者（例えば、子ども）が照明装置１０を使い始めたとして、その情報を通信処理部１４０を通じてサーバー２００又は確認者Ｍ（例えば、使用者である子どもの親）の情報端末装置３００に送信する（ステップ３）。照明装置１０からサーバー２００に送信された情報は、サーバー２００に保存され、情報端末装置３００からいつでも確認することができる。
【００４２】
次に、制御部１１０は、カメラ６３，６４により机Ｄ上を撮影し（ステップ４）、その撮影画像を保存するとともに（ステップ５）、その撮影画像から画像処理部１３０により使用者Ｈの手と、紙類（書籍、書類、ノート等）、筆記具をそれぞれ検出する（ステップ６，７，８）。さらに、制御部１１０は、検出した手が動いているか（保存された複数の撮影画像の時系列的差分から判断することができる。）、手が筆記具を持っているか（図６に示すように、撮影画像中の手が検出された領域Ｅｈと筆記具が検出された領域Ｅｐとが重なっていれば、手が筆記具を持っていると判断することができる。）についても検出する（ステップ９，１０）。ここでの検出は、上記のように、Ｈａａｒ−ｌｉｋｅ特徴量とＡｄａＢｏｏｓｔアルゴリズムを用いたソフトウェアにより行われるが、誤検出を防ぐため、使用者Ｈの手の検出については肌の色や手の動きを考慮し、筆記具の検出については筆記具の動きや輪郭形状を考慮してもよい。
【００４３】
続いて、制御部１１０は、表１に例示するとおり、使用者の作業を「読書」「筆記」「その他」「未作業」に分類する（ステップ１１）。
【００４４】
【表１】
2016171534.tif 000003
【００４５】
ここで、「その他」とは、手が検出されるが「読書」「筆記」に当てはまらない場合の粘土細工等の作業で、手も紙類も検出されない場合に「未作業」に分類する。
【００４６】
そして、制御部１１０は、ステップ４乃至ステップ１１の処理を繰り返し（ステップ１２）、一定時間ごとに作業に関する情報を集計して，サーバー２００又は情報端末装置３００に送信する（ステップ１３，１４）。
【００４７】
〔照明装置の動作：読書作業時〕
作業が「読書」で書籍のページめくりが発生している場合、制御部１１０は、次のように読書時間を高精度に検出してもよい。
【００４８】
すなわち、読書時間においては定期的にページめくりが発生し、ページめくりが発生してからの経過時間がタイムアウトに達するまで、又は、ページめくりが発生してから次のページめくりが発生するまでを該当ページの読書時間Ｔｉとし、ＴＲ＝ΣＴｉを読書時間とする。ページめくりは、手の位置の動き方で求めることができるが、書籍のページを両手でめくる場合と片手でめくる場合を想定し、図７に示すように、撮影画像中の書籍の領域Ｅｂと重なる手の領域Ｅｈの数が２つの場合は、書籍に両手が触れていて両手でめくる場合と考えられ、図８に示すように、書籍の領域Ｅｂと重なる手の領域Ｅｈの数が１つの場合は、書籍に片手が触れていて片手でめくる場合と考えられる（要するに、書籍を両手でめくる場合と片手でめくる場合とを、書籍に触れている手の数により識別する。）。
【００４９】
書籍のページを両手でめくる場合には、図７（ｂ）に示すように、一時的に両手の位置が近くなる。そこで、手の領域Ｅｈが書籍の領域Ｅｂに重なっている間、２つの手の領域Ｅｈ，Ｅｈの離間距離Ｄを計測し、これを時刻とともに記録すると、図９に示すように、Ｄ＞Ｄｏｐｅｎ→Ｄ＜Ｄｔｕｒｎ→Ｄ＞Ｄｏｐｅｎ（Ｄｏｐｅｎ：ページを開いていると認識するための最低距離、Ｄｔｕｒｎ：ページをめくったと判定するための閾値）と変化した場合に、この変化の間隔時間ｔ１，ｔ２，ｔ３がｔ１，ｔ３＜Ｔｍａｘ（Ｔｍａｘ：ページをめくったと認識するための最大時間）を満たすならば、ページめくりが行われたと判定することができる。
【００５０】
一方、書籍のページを片手でめくる場合には、書籍に対する手の位置の移動パターンからページめくりを判定する。つまり、片手でページをめくる場合、図８（ａ）及び図８（ｂ）に示すように、手は書籍の一端から他端に移動するから、この事象が発生した時刻にページめくりが行われたと判定することができる（上記と同様に、ページめくりの間隔時間tがt＜Ｔｍａｘを満たすかどうかについても判断する。）。
【００５１】
ページめくりが行われたときは、その都度書籍を撮影してその撮影画像を取得し、ＯＣＲ解析して保存しておくと、ページめくりの前に参照していたページの内容と比較することにより、ページめくりの発生を確実に判断することができる（図１０）。
【００５２】
また、ページめくりのタイミングで新たなページに識別子を付与したり、ＱＲコード（登録商標）等の書籍の種類やページ数を特定するマークを書籍に付してカメラで読み取ったりすることにより、ページめくりの時刻とその時刻に参照したページについての一覧情報を取得することができる。この一覧情報から、使用者がどのページを長時間みているのか知ることができるし、その情報を多数の使用者について収集すれば、学校や学習塾、出版社等において、授業の改善や教科書の改善に有益となる。
【００５３】
〔照明装置の動作：筆記作業時〕
作業が「筆記」の場合、制御部１１０は、次のように筆記時間を高精度に検出してもよい。
【００５４】
すなわち、ステップ４乃至ステップ１１の繰り返しにより定期的に撮影画像が得られるが、「筆記」の場合には、時刻ｔにおける撮影画像と時刻（ｔ＋Ｔ）における次の撮影画像との間で筆記対象領域に差分があるかどうかを確認し、差分がある場合には時刻ｔから時刻（ｔ＋Ｔ）までの時間Ｔの間は使用者が筆記していたとして、差分がない場合にはその時間Ｔの間は使用者が筆記していなかったとして、筆記時間Ｔｗ＝Σｋ・Ｔ（ただし、係数ｋは筆記していた場合は１、それ以外は０）を求める。この筆記時間については、照明装置１０のベース部２０等に振動センサを設け、筆記に伴う机Ｄの振動を検知することができなかった時間帯については筆記時間に含めないとするなどして、精度を高めてもよい。
【００５５】
また、撮影画像の差分により得られる筆記内容について、画像認識により文字数を算出して、あるいは、単純に、その筆記内容の筆記対象領域等に占める画像の大きさの割合により、筆記量を求めてもよい。
【００５６】
〔情報端末装置の表示〕
制御部１１０は、一定時間ごとに作業に関する情報を集計して，サーバー２００又は情報端末装置３００に送信するが（ステップ１３，１４）、この際、作業状態の積算時間及び作業状態の時間変化の情報を情報端末装置３００に直接（又はサーバー２００を介して）表示し、確認者が作業内容を一見して理解できるように可視化することが望ましい。
【００５７】
具体的には、各作業の割合とその時系列的変化を確認可能とすることによって、現在は使用者がどのくらい作業に注力できているのか、あるいは、これまでどのような作業をどの程度してきたのかを、確認者が確認できるようになる。整理の仕方は様々な方法が考えられるが、例えば図１１に示すように、直近１時間の作業内容の割合を円グラフにし、作業率を折線グラフにして情報端末装置３００に表示することによって、使用者は筆記作業が多い宿題があるのに「筆記」の時間が少ないとか、作業率（「読書」と「筆記」を作業とするならば、作業率Ｐ＝｛（読書時間＋筆記時間）／経過時間｝となる。）が高い値で推移していて作業に集中しているとか、そのようなことが遠隔的に、かつ、簡易にわかるようになる。
【００５８】
図１１では、画面表示の下部に「がんばってるね！」と「がんばろう！」のボタンが表示され、確認者がそのボタンを押すと、ボタンに応じたメッセージ信号が情報端末装置３００からネットワークＮを通じて照明装置１０に送信され、制御部１１０は、メッセージ信号を受信すると、通知部１５０により「がんばってるね！」又は「がんばろう！」のメッセージ応じた通知を光、音、操作部２２におけるディスプレイ表示又はアーム部４０の揺動等によって発する。
【００５９】
〔照明装置の作用・効果〕
この実施の形態に係る照明装置１０では、使用者の手を認識するカメラ６３，６４と、カメラ６３，６４の認識結果に基づいて、使用者の作業に関するデータを生成する制御部１１０、演算部１２０及び画像処理部１３０と、使用者の作業に関するデータをネットワークＮに送出する通信処理部１４０とを有するので、使用者の作業状況を確認したい確認者は、当該データを受信可能な情報端末装置３００をネットワークＮに接続することにより、その作業状況を遠隔的に、かつ、簡易迅速に確認することが可能となる。
【００６０】
また、カメラ６３，６４が使用者の手を認識し、その使用者の手の状況に基づいてデータが生成されるから、使用者が手を使う読書作業や筆記作業について、効率的かつ正確に情報収集することができる。
【００６１】
以上、本発明を実施するための形態について例示したが、本発明の実施形態は上述したものに限られず、発明の趣旨を逸脱しない範囲で適宜変更等してもよい。
【００６２】
例えば、上記形態では使用者の身体の一部としてカメラにより手を認識したが、使用者の顔の輪郭と目を検出して目の位置や顔の向いている方向を求め、顔が机上を向いている時を作業時間とカウントするとか、目と机との距離が単調に減少している時は疲れてきていて、その距離が上下している時は集中していると判断するとか、そのような手以外を認識する構成としてもよい。
【００６３】
また、使用者の身体の一部を認識する手段としてカメラを用いず、レーザー光やミリ波レーダの反射による距離計測を机上全面に走査することで得られる机上の凹凸画像や、サーモグラフィによる机上の温度分布画像から身体の一部を認識する構成としてもよい。
【００６４】
さらに、照明装置における使用者の作業に関するデータの生成は、画像の撮影など最低限に留め、以降の処理は、サーバーや情報端末装置等の外部装置で行うこととしてもかまわないし、確認者の選択に供する情報端末装置に表示されるメッセージも、「がんばってるね！」「がんばろう！」といった応援を内容とするものでなくても勿論かまわない。
【産業上の利用可能性】
【００６５】
本発明は、子どもの自宅等での学習状況について親や学校、学習塾等が確認する場合や、照明下での作業に従事する従業者の仕事状況を使用者が把握する場合、その他広範な用途に利用することができ、とりわけ児童の独り学習の支援に好適である。
【符号の説明】
【００６６】
１０    照明装置
２０    ベース部
２１    フェイスカメラ
２２    操作部
２３    回転軸
２５    固定用クランプ
３０    アーム機構
４０    アーム部
４１    第１アーム
４２    第２アーム
４３    仰角調整部材
４４    首振部材
４５    ヘッド取付部
５０    アーム動作部
５１    第１モータ
５１ａ  第１角度センサ
５２    第２モータ
５２ａ  第２角度センサ
５３    第３モータ
５３ａ  第３角度センサ
５４    第４モータ
５４ａ  第４角度センサ
５５    第５モータ
５５ａ  第５角度センサ
５６    第６モータ
５６ａ  第６角度センサ
６０    ベース部
６１    ヘッドベース
６２    光源（照明手段）
６３，６４  カメラ（認識手段）
１１０  制御部（データ生成手段）
１２０  演算部（データ生成手段）
１３０  画像処理部（データ生成手段）
１４０  通信処理部（通信手段）
１５０  通知部
２００  サーバー
３００  情報端末装置
Ｎ      ネットワーク
Ｈ      使用者
Ｍ      確認者
Ｄ      机
【図１】
2016171534.tif 000004
【図２】
2016171534.tif 000005
【図３】
2016171534.tif 000006
【図４】
2016171534.tif 000007
【図５】
2016171534.tif 000008
【図６】
2016171534.tif 000009
【図７】
2016171534.tif 000010
【図８】
2016171534.tif 000011
【図９】
2016171534.tif 000012
【図１０】
2016171534.tif 000013
【図１１】
2016171534.tif 000014